(57)【要約】　　　（修正有）【課題】コピー機の感覚でスキャンした画像をネットワークに接続された端末を介して希望の媒体で容易に取得でき、ユーザ認証も容易なネットワークスキャンシステムを提供する。【解決手段】無線送受信機、表示部を備えるネットワークスキャナ１２と、無線送受信機、表示部、任意の記憶媒体への書き込み部を備えるデータ取得用端末１３と、プリンタ１８と、画像蓄積用サーバ１５と、ユーザ認証用サーバ１４とが有線ネットワーク１１に接続され、かつ無線送受信機を備えるユーザ識別装置１７を有するネットワークスキャンシステムにおいて、ある文書を、ユーザ識別装置１７との間で無線を介して認証済みのネットワークスキャナ１２を使用して読み取り、読み取り時の補助情報を付加してサーバ１５に蓄積し、ユーザ識別装置１７との間で認証を行ったデータ取得用端末１３を介して、画像蓄積用サーバ１５より、ユーザの希望する媒体で画像データとして取得する。【選択図】　　　図１
2004120003.tif 000002
【特許請求の範囲】
【請求項１】
無線送受信機、表示部を備えるネットワークスキャナと、無線送受信機、表示部、任意の記憶媒体への書き込み部を備えるデータ取得用端末と、プリンタと、画像蓄積用サーバと、ユーザ認証用サーバとが有線ネットワークに接続され、かつ無線送受信機を備えるユーザ識別装置を有するネットワークスキャンシステムにおいて、
ネットワークスキャナを利用してある文書を画像データとして取得するに際し、ユーザ識別装置と使用するネットワークスキャナとの間で無線を介して認証を行い、認証済みのネットワークスキャナを使用して画像データを読み取り、読み取った画像データに読み取り時の補助情報を付加して、画像蓄積用サーバに蓄積し、データ取得用端末とユーザ識別装置との間で認証を行い、そのデータ取得用端末を介して、画像データが蓄積されている画像蓄積用サーバより、ユーザの希望する媒体で画像データを取得する機能を有することを特徴とするネットワークスキャンシステム。
【請求項２】
請求項１のネットワークスキャンシステムにおいて、画像蓄積用サーバに画像データを蓄積する際に画像データに付加される補助情報に含まれる情報は、ユーザがネットワークスキャナを使用して画像データを読み取る前に、ユーザが所有しているユーザ識別装置とネットワークスキャナとの間で無線を介して行ったユーザ認証の結果、ネットワークスキャナが得たユーザ情報が含まれることを特徴とするネットワークスキャンシステム。
【請求項３】
請求項１のネットワークスキャンシステムにおいて、　画像蓄積用サーバに画像データを蓄積する際に画像データに付加される補助情報に含まれる情報には、ネットワークスキャナ固有の識別情報が含まれることを特徴とするネットワークスキャンシステム。
【請求項４】
ユーザ識別装置とネットワークスキャナとの間で無線によりユーザ認証を行うに際し、ネットワークスキャナは、自身に接続されている無線送受信機を介して周囲に存在する通信可能な無線端末を検索し、その検索結果をユーザ認証用サーバへ送り、ユーザ認証用サーバから対応するユーザネーム及び認証に必要な情報を取得し、ユーザネームリストをネットワークスキャナが備える表示部に表示し、入力された認証に必要な情報及びユーザ認証用サーバから取得した情報を用いて認証を行うことを特徴とするネットワークスキャンシステム。
【請求項５】
請求項１のネットワークスキャンシステムにおいて、データ取得用端末を介して画像データを取得するに際し、ユーザが画像データを取得する前に、ユーザ識別装置と、データ取得用端末との間で無線を介してユーザ認証を行い、その結果、データ取得用端末が得たユーザ情報を基に、データ取得用端末は画像蓄積用サーバから該当する画像データをネットワークを介して取得し、その中から希望する画像データを媒体で取得することを特徴とするネットワークスキャンシステム。
【請求項６】
請求項１のネットワークスキャンシステムにおいて、ユーザ識別装置と、データ取得用端末との間で無線によりユーザ認証を行うに際し、データ取得用端末装置は、自身に接続されている無線送受信機を介して周囲に存在する通信可能な無線端末を検索し、その検索結果をユーザ認証用サーバへ送り、ユーザ認証用サーバから対応するユーザネーム及び認証に必要な情報を取得し、ユーザネームリストをデータ取得用端末が備える表示部に表示し、そのリストの中から選択された認証に必要な情報及びユーザ認証用サーバから取得した情報を用いて認証を行うことを特徴とするネットワークスキャンシステム。
【請求項７】
請求項１のネットワークスキャンシステムにおいて、データ取得用端末を介して画像データを取得するとき、ユーザが取得を希望する画像データを選択するに際し、データ取得用端末は、取得した画像データに付加されているネットワークスキャナ識別情報を利用して、取得した画像データの一覧と、各々の画像データがどのネットワークスキャナで読み込まれた画像データかを表示部に表示し、この表示内容より希望の画像データを選択することを特徴とするネットワークスキャンシステム。
【請求項８】
請求項１のネットワークスキャンシステムにおいて、データ取得用端末を介して画像データを取得するとき、データ取得用端末がユーザの希望する媒体で画像データを提供する手段として、データ取得用端末は任意のメディアドライブを備え、かつ使用可能なメディアの一覧を表示部に表示し、使用可能なメディア一覧から選択された媒体に対応するメディアに画像データを書き込むことによって、ユーザに画像データを提供することを特徴とするネットワークスキャンシステム。
【請求項９】
請求項１のネットワークスキャンシステムにおいて、データ取得用端末を介して画像データを取得するとき、データ取得用端末装置がユーザの希望する媒体で画像データを提供するに際し、ユーザの希望する媒体が印刷された用紙の場合は、データ取得用端末は、ネットワークに接続されたプリンタに対して、対応する画像データの印刷命令を実行することにより、ユーザに画像データを提供することを特徴とするネットワークスキャンシステム。
【発明の詳細な説明】
【０００１】
【発明の属する技術分野】
本発明は、ネットワークを利用した印刷システムであるネットワークスキャンシステムに関する。
【０００２】
【従来の技術】
特開２０００−６９２２１公報「ネットワークスキャナシステム」に記載された技術は、有線ネットワークに接続されたネットワークスキャナでスキャンした画像を、同じネットワークに接続されているサーバ上に蓄積し、他の場所から印刷するようにしたものである。
また、特開２００１−４５１９２公報「画像処理装置及びその制御方法並びにメモリ媒体」では、ネットワーク上サーバに転送する際のサーバ指定方法を簡易化する方法として、ユーザの指紋情報を利用することが提案されている。
【特許文献１】特開２０００−６９２２１公報
【特許文献２】特開２００１−４５１９２公報
【０００３】
【発明が解決しようとする課題】
例えば、図書館などである文献調査をする場合、これまでは必要な文献のコピーをその場でとり、それを持ち帰るのが一般的であった。しかしながら、例えば大規模な図書館で必要な文献が数箇所のフロアに存在する場合、必要な文書のコピーは数箇所でとることになり、この場合、コピーした資料を持って移動しなければならず、特にコピーの量が多いときは面倒であった。
この問題を解消する技術として、特開２０００−６９２２１公報のように、有線ネットワークに接続されたネットワークスキャナでスキャンした画像を、同じネットワークに接続されているサーバ上に蓄積し、他の場所から印刷することができる、ネットワークスキャン技術がある。
しかしながらこのシステムでは、画像をスキャンする際、及び画像を印刷する際、及びユーザ認証のいずれにもＰＣ（パソコン）を必要としており、例えば、コピー機は使用できるがＰＣの操作に慣れていない人には不向きであった。また、ネットワーク上のサーバに転送する際のサーバ指定方法を簡易化する方法として、　特開２００１―４５１９２号公報がある。しかしながら、この技術も指紋の登録作業など、実現までに作業時間がかかる。
本発明はこれらの問題を解消し、ＰＣを使用しなくてもコピー機の感覚でスキャンした画像をネットワークに接続された端末を介して希望の媒体で容易に取得でき、かつそのときに必要なユーザ認証も容易に行えるネットワークスキャンシステムを提供することを目的とする。
【０００４】
【課題を解決するための手段】
上記目的を達成するために、請求項１記載の発明は、無線送受信機、表示部を備えるネットワークスキャナと、無線送受信機、表示部、任意の記憶媒体への書き込み部を備えるデータ取得用端末と、プリンタと、画像蓄積用サーバと、ユーザ認証用サーバとが有線ネットワークに接続され、かつ無線送受信機を備えるユーザ識別装置を有するネットワークスキャンシステムにおいて、ネットワークスキャナを利用してある文書を画像データとして取得するに際し、ユーザ識別装置と使用するネットワークスキャナとの間で無線を介して認証を行い、認証済みのネットワークスキャナを使用して画像データを読み取り、読み取った画像データに読み取り時の補助情報を付加して、画像蓄積用サーバに蓄積し、データ取得用端末とユーザ識別装置との間で認証を行い、そのデータ取得用端末を介して、画像データが蓄積されている画像蓄積用サーバより、ユーザの希望する媒体で画像データを取得する機能を有するネットワークスキャンシステムを最も主要な特徴とする。
請求項２記載の発明は、請求項１のネットワークスキャンシステムにおいて、画像蓄積用サーバに画像データを蓄積する際に画像データに付加される補助情報に含まれる情報は、ユーザがネットワークスキャナを使用して画像データを読み取る前に、ユーザが所有しているユーザ識別装置とネットワークスキャナとの間で無線を介して行ったユーザ認証の結果、ネットワークスキャナが得たユーザ情報が含まれるネットワークスキャンシステムを主要な特徴とする。
請求項３記載の発明は、請求項１のネットワークスキャンシステムにおいて、画像蓄積用サーバに画像データを蓄積する際に画像データに付加される補助情報に含まれる情報には、ネットワークスキャナ固有の識別情報が含まれるネットワークスキャンシステムを主要な特徴とする。
【０００５】
請求項４記載の発明は、ユーザ識別装置とネットワークスキャナとの間で無線によりユーザ認証を行うに際し、ネットワークスキャナは、自身に接続されている無線送受信機を介して周囲に存在する通信可能な無線端末を検索し、その検索結果をユーザ認証用サーバへ送り、ユーザ認証用サーバから対応するユーザネーム及び認証に必要な情報を取得し、ユーザネームリストをネットワークスキャナが備える表示部に表示し、入力された認証に必要な情報及びユーザ認証用サーバから取得した情報を用いて認証を行うネットワークスキャンシステムを主要な特徴とする。
請求項５記載の発明は、請求項１のネットワークスキャンシステムにおいて、データ取得用端末を介して画像データを取得するに際し、ユーザが画像データを取得する前に、ユーザ識別装置と、データ取得用端末との間で無線を介してユーザ認証を行い、その結果、データ取得用端末が得たユーザ情報を基に、データ取得用端末は画像蓄積用サーバから該当する画像データをネットワークを介して取得し、その中から希望する画像データを媒体で取得するネットワークスキャンシステムを主要な特徴とする。
請求項６記載の発明は、請求項１のネットワークスキャンシステムにおいて、ユーザ識別装置と、データ取得用端末との間で無線によりユーザ認証を行うに際し、データ取得用端末装置は、自身に接続されている無線送受信機を介して周囲に存在する通信可能な無線端末を検索し、その検索結果をユーザ認証用サーバへ送り、ユーザ認証用サーバから対応するユーザネーム及び認証に必要な情報を取得し、ユーザネームリストをデータ取得用端末が備える表示部に表示し、そのリストの中から選択された認証に必要な情報及びユーザ認証用サーバから取得した情報を用いて認証を行うネットワークスキャンシステムを主要な特徴とする。
【０００６】
請求項７記載の発明は、請求項１のネットワークスキャンシステムにおいて、データ取得用端末を介して画像データを取得するとき、ユーザが取得を希望する画像データを選択するに際し、データ取得用端末は、取得した画像データに付加されているネットワークスキャナ識別情報を利用して、取得した画像データの一覧と、各々の画像データがどのネットワークスキャナで読み込まれた画像データかを表示部に表示し、この表示内容より希望の画像データを選択するネットワークスキャンシステムを主要な特徴とする。
請求項８記載の発明は、請求項１のネットワークスキャンシステムにおいて、データ取得用端末を介して画像データを取得するとき、データ取得用端末がユーザの希望する媒体で画像データを提供する手段として、データ取得用端末は任意のメディアドライブを備え、かつ使用可能なメディアの一覧を表示部に表示し、使用可能なメディア一覧から選択された媒体に対応するメディアに画像データを書き込むことによって、ユーザに画像データを提供するネットワークスキャンシステムを主要な特徴とする。
請求項９記載の発明は、請求項１のネットワークスキャンシステムにおいて、データ取得用端末を介して画像データを取得するとき、データ取得用端末装置がユーザの希望する媒体で画像データを提供するに際し、ユーザの希望する媒体が印刷された用紙の場合は、データ取得用端末は、ネットワークに接続されたプリンタに対して、対応する画像データの印刷命令を実行することにより、ユーザに画像データを提供するネットワークスキャンシステムを主要な特徴とする。
【０００７】
【発明の実施の形態】
以下、図面により本発明の実施の形態を詳細に説明する。図１は本発明のネットワークスキャンシステムの全体構成図である。本ネットワークスキャンシステムは、ＬＡＮ等の有線ネットワーク１１、有線ネットワーク１１に接続されたネットワークスキャナ（これは複写機でもよい）１２、有線ネットワーク１１に接続されたデータ取得用端末１３、有線ネットワーク１１に接続されたユーザ認証用サーバ１４、有線ネットワーク１１に接続された画像蓄積用サーバ１５、無線送受信機（これは例えばブルートゥース無線送受信機が該当する）１６、ユーザ識別装置１７を備える。
また有線ネットワーク１１にはプリンタ１８も接続されている。無線送受信機１６はネットワークスキャナ１２、データ取得用端末１３、ユーザ識別装置１７が有する。ユーザ識別装置１７の外観はユーザが首からかけられる程度のサイズ、重量を満たしていることが望ましい。
図２は無線送受信機１６の機能ブロック図である。ＣＰＵ２１の役割は無線通信プロトコル制御も含む。つまり無線送受信機１６は、他の無線送受信機から無線通信プロトコルに従って識別ＩＤ情報の要求が来た場合、無線送受信機１６単体で識別ＩＤ要求に応答することが可能である。これは例えば、ブルートゥース仕様におけるＩｎｑｕｉｒｙ（ブルートゥースデバイス検索）に相当するものである。
ＲＯＭ２２には無線送受信機本体の識別ＩＤ情報が含まれる。識別ＩＤ情報は、無線送受信機毎に固有の値であり、例えばブルートゥース無線機の場合は、ブルートゥースアドレスが該当する。ＲＡＭ２３は主に無線通信プロトコル制御用プログラムに使用する。
図３はネットワークスキャナ１２の機能ブロック図である。表示部３１、無線送受信機１６、ユーザ認証部３３、補助情報作成、追加部３４、ネットワークスキャナ識別情報３５、ネットワークスキャナ機能部３６、ネットワークインターフェース３７を備える。
【０００８】
図４はデータ取得用端末１３の機能ブロツク図、図５はデータ取得用端末１３の外観図である。表示部４１、ユーザ認証部４２、画像選択部４３、メディア選択部／データ書き込み部４４、画像取得部４５、ネットワークインターフェース４６、各種メディアドライブ４７、無線送受信機１６を備える。
図６はユーザ認証用サーバ１４の機能ブロック図である。テーブル５１、ユーザインターフェース５２、ネットワークインターフェース５３を備える。
図７はユーザ識別装置１７の機能ブロック図である。無線送受信機１６、バッテリ６１を備える。
以下、例えば本発明を大規模な図書館等で使用した場合について具体的に説明する。はじめにシナリオを簡単にする。このシナリオは、あるユーザが図書館に行き、いくつかのフロアにて所望の文献の画像をスキャンした後、退館時に全てのスキャンした画像データを印刷した資料をまとめて自分の希望する媒体で取得するというシナリオである。以下、詳細に説明する。
ＰＣを使用できないあるユーザが文献調査のために図書館に行く。ユーザは図書館の受付で会員カードを提示する。受付では会員カードを用いて入館手続きをして、ユーザ識別装置１７をユーザに渡す。ユーザ識別装置１７はペンダントのように首からかけられるようになっており、ユーザ識別装置１７を渡されたユーザは、以後この装置を首から吊り下げて図書館内を移動することになる。
このとき受付では、ユーザ名及びパスワードをユーザ認証用サーバ１４に登録する。これにより、ユーザネーム、パスワード、及びユーザに渡したユーザ識別装置情報がユーザ認証用サーバ１４内の対応テーブル５１に追加されることになる。図８は対応テーブル５１の概念図である。
また、受付が行うユーザ認証用サーバ１４への登録方法としては、会員カードにあらかじめ磁気でユーザネーム、及びユーザが設定したパスワードを登録しておき、磁気リーダ（ユーザインターフェース５２に該当）等で会員カードの情報を読み込みんだ結果をユーザ認証用サーバ１４へ入力する方法や、キーボード（ユーザインターフェース５２に該当）により入力する方法がある。
次にユーザは図書館内で文献調査を始める。ユーザはある文献における一部ページのコピーを必要として、文献を持って近隣のネットワークスキャナ１２が設置されている場所に行く。このネットワークスキャナ１２は有線ネットワーク１１に接続されている複写機でもよい。また、ネットワークスキャナ１２はユーザがネットワークスキャナ１２を探すのに苦痛を感じない程度に各フロアに複数台設置されていることが望ましい。
【０００９】
図９はネットワークスキャナ１２の動作フロー図である。ユーザはネットワークスキャナ１２の場所に行く。ネットワークスキャナ１２にはタッチパネル形式の表示部３１を備えている。ユーザは表示部３１の利用開始ボタンを押す（Ｓ１）。
すると、ネットワークスキャナ１２におけるユーザ認証部３３はネットワークスキャナ１２に接続された無線送受信機１６に対して、周囲で通信可能なユーザ識別装置１７の探索を命令する（Ｓ２）。このとき、ネットワークスキャナ１２の前にいるユーザのみならず、その近隣に存在する他のユーザが所持しているユーザ識別装置１７も見つかる可能性がある。
探索の結果、通信可能なユーザ識別装置１７が見つかった場合は、ネットワークスキャナ１２におけるユーザ認証部３３はネットワークインターフェース３７を介して各々のユーザ識別装置ＩＤをユーザ認証用サーバ１４に送信し、該当するユーザネーム及びパスワードを要求する（Ｓ３）。
ネットワークスキャナ１２は、ユーザ認証用サーバ１４からユーザネーム及びパスワードを取得できたら、ユーザ認証部３３にてその情報を保持しておき、かつ表示部３１を介して、ユーザに対して現在通信可能なユーザリストを通知し、その中から該当ユーザを選択するように促す。
【００１０】
図１０はネットワークスキャナ１２の表示部３１の表示例を示す図である。図１０の例では３名のユーザがネットワークスキャナ１２の周辺に存在していたことになる。ユーザはそのリストの中から表示部３１を介して自分自身のユーザネームを選択する（Ｓ４）。次にネットワークスキャナ１２はユーザに対して表示部３１を介してパスワード入力を求める（Ｓ５）。
ユーザがパスワードを入力したらネットワークスキャナ１２はユーザ認証部３３で保持しておいた、そのユーザに対応するパスワードと比較し、一致したら正しいパスワードとみなす。
正しいパスワードが入力されたら、ネットワークスキャナ１２は通常のスキャン動作が可能となり、画像読み取り待ちうけ状態となる（Ｓ６）。このとき表示部３１を介してネットワークスキャナ１２が使用可能になった旨を通知する。
次にユーザは、文献のスキャン動作を開始する。スキャンされた画像データは、補助情報作成、追加部３４において、ユーザネーム及びネットワークスキャナ１２に固有に割振られたネットワークスキャナ識別情報３５を付加した後に、ネットワークインターフェース３７を介して画像蓄積用サーバ１５に保存される。
ユーザは一通りのスキャン作業を終えたら、ネットワークスキャナ１２の表示部３１の終了ボタンを押し、他のフロアに行き新たな文献調査を続行する。ユーザは一通りの文献調査を終える。
ユーザは、図書館を退館する前に、データ取得用端末１３に行く。データ取得用端末１３は、各フロアに１つ程度あればよく、ただし、図書館の１階には複数台設置されている方が望ましい。また、データ取得端末１３に備えられるメディアドライブ４７は、複数あることが望ましい。これは例えば、ＣＤ−Ｒ／フロッピー（登録商標）ドライブ／ＭＯドライブ／コンパクトフラッシュ（登録商標）メモリ等が該当する。また、ユーザが画像データの印刷を希望した場合のために、近隣に有線ネットワーク１１に接続されたプリンタ１８が設置されていることが望ましい。
【００１１】
図１１はデータ取得用端末１３の動作フロー図である。データ取得用端末１３は、ユーザの利用開始ボタンが押されたら（Ｓ１１）、ネットワークスキャナ１２と同じ方法で、ユーザの認証動作を行う（Ｓ１２〜Ｓ１５）。
データ取得用端末１３は、ユーザ認証が問題無く行われたら、画像蓄積用サーバ１５に対して、ネットワークインターフェース４６を介して、現在蓄積されている画像データ中で、ユーザ認証時のユーザネームと同じユーザネームが付加された画像データのリストを要求する（Ｓ１６）。
データ取得用端末１３は画像蓄積用サーバ１５から要求した画像データリストを取得したら、画像データリストと各々の画像データがどのネットワークスキャナ１２で取得されたものかを表示部４１を介して画像データリストとして表示し、ユーザに「どの画像データがほしいか？」及び「どのような媒体でほしいか？」の選択を促す。
図１２はデータ取得用端末１３の表示部４１の表示例を示す図である。ユーザは希望する画像データ及び媒体を選択し、該当するメディアをデータ取得用端末１３におけるメディアドライブ４７に挿入する。
ユーザが希望した画像データ及び記録媒体の選択を行ったら、データ取得端末１３における画像取得部４５は、該当する画像データを、ネットワークインターフェース４６を介して画像蓄積用サーバ１５より取得し、メディア選択部／データ書き込み部４４においてユーザの希望するメディアに書き込みをし、ユーザに提供する。また、ユーザの希望媒体が紙である場合は、近隣に設定しているプリンタ１８に印刷する。
希望のデータを受け取ったユーザは、ユーザ識別装置１７を受付で返却して退館する。受付はユーザからユーザ識別装置１７を受け取ったら、ユーザ認証用サーバ１４における対応テーブル５１より該当するユーザ情報を削除する。
【００１２】
【発明の効果】
以上説明したように、請求項１によれば、ＰＣを使用しないネットワークスキャンシステムを用いることにより、ＰＣの使用方法がわからないユーザでも容易にネットワークスキャンが行え、ユーザ認証に無線を用いることにより、ユーザにとってより操作が容易となる。
請求項２によれば、画像データ保存時にユーザネームを付加することにより、データ取得用端末が該当ユーザの画像データを取得する際に容易に検索可能となる。
請求項３によれば、画像データ保存時にネットワークスキャナ識別ＩＤを付加することにより、ユーザが取得を希望する画像データを選択する際にどの画像データかを判断することが容易になる。
請求項４によれば、無線を用いてユーザ認証を行うことにより、ユーザの手を煩わすことがなくなる。
請求項５によれば、データ取得用端末が、画像蓄積用サーバ内に取得されている画像データするときに、ユーザ名で検索することにより、本発明のネットワークスキャンシステムの実装が容易になり、かつ検索の信頼性、及び検索スピードが上がる。
請求項６によれば、無線を用いてユーザ認証を行うことにより、ユーザの手を煩わすことがなくなる。
請求項７によれば、データ取得用端末が画像データリストを表示する際に、各々の画像データがどのネットワークスキャナで取得したかという情報も合わせて表示することによりユーザにとって選択しやすい環境になる。
請求項８によれば、複数のメディアドライブを備えることにより、ユーザにとってユーザビリティが高くなる。
請求項９によれば、ユーザが用紙で画像データを取得したい場合に、近隣のネットワークプリンタに印刷することにより、本発明のネットワークスキャンシステム汎用性が高くなる。
【図面の簡単な説明】
【図１】本発明のネットワークスキャンシステムの全体構成図である。
【図２】無線送受信機の機能ブロック図である。
【図３】ネットワークスキャナの機能ブロック図である。
【図４】データ取得用端末の機能ブロック図である。
【図５】データ取得用端末の外観図である。
【図６】ユーザ認証用サーバの機能ブロック図である。
【図７】ユーザ識別装置の機能ブロック図である。
【図８】対応テーブルの概念図である。
【図９】ネットワークスキャナの動作フロー図である。
【図１０】ネットワークスキャナの表示部の表示例を示す図である。
【図１１】データ取得用端末の動作フロー図である。
【図１２】データ取得用端末の表示部の表示例を示す図である
【符号の説明】
１１　有線ネットワーク
１２　ネットワークスキャナ
１３　データ取得用端末
１４　ユーザ認証用サーバ
１５　画像蓄積用サーバ
１６　無線送受信機
１７　ユーザ識別装置
【図１】
2004120003.tif 000003
【図２】
2004120003.tif 000004
【図３】
2004120003.tif 000005
【図４】
2004120003.tif 000006
【図５】
2004120003.tif 000007
【図６】
2004120003.tif 000008
【図７】
2004120003.tif 000009
【図８】
2004120003.tif 000010
【図９】
2004120003.tif 000011
【図１０】
2004120003.tif 000012
【図１１】
2004120003.tif 000013
【図１２】
2004120003.tif 000014